(57)【要約】 【課題】  ５．１ｃｈの音声素材を活用して高音質な番組をワンセグ放送で放送することができる音声処理装置および音声処理方法を提供する。【解決手段】実施形態の音声処理装置は、音声変換部、音声ダウンミックス部、１セグ音声エンコーダを備える。前記音声変換部は外部から供給される５．１ｃｈの音声信号から５．１ｃｈ＋サークルサラウンドステレオ音声信号を生成する。前記音声ダウンミックス部は前記音声変換部により生成された５．１ｃｈ＋サークルサラウンドステレオ音声信号のうち、サークルサラウンドステレオ音声信号のチャネルを１セグ用のチャネルへ変更する。前記１セグ音声エンコーダは前記音声ダウンミックス部により１セグ用のチャネルに変更されたサークルサラウンドステレオ音声信号を、１セグ放送の送出用にエンコードして出力する。【選択図】図１
2012037844.tif 000002
【特許請求の範囲】
【請求項１】
外部から供給される５．１ｃｈの音声信号から５．１ｃｈ＋サークルサラウンドステレオ音声信号を生成する音声変換部と、
前記音声変換部により生成された５．１ｃｈ＋サークルサラウンドステレオ音声信号のうち、サークルサラウンドステレオ音声信号のチャネルを１セグ用のチャネルへ変更する音声ダウンミックス部と、
前記音声ダウンミックス部により１セグ用のチャネルに変更されたサークルサラウンドステレオ音声信号を、１セグ放送の送出用にエンコードして出力する１セグ音声エンコーダと
を具備することを特徴とする音声処理装置。
【請求項２】
前記音声変換部により生成された前記５．１ｃｈ＋サークルサラウンドステレオ音声信号をそのまま通過させる音声ダウンミックススルー部と、
前記音声ダウンミックススルー部を通過した５．１ｃｈ＋サークルサラウンドステレオ音声信号のうち、５．１ｃｈの音声信号の部分をハイビジョン放送の送出用にエンコードして出力するハイビジョン音声エンコーダと
を備えることを特徴とする請求項１記載の音声処理装置。
【請求項３】
複数の入出力ポートを備え、外部からの制御により、内部配線をスイッチングして、入力ポートに入力された信号を、任意の出力ポートへ出力するスイッチャと、
前記スイッチャの第１出力ポートから出力された５．１ｃｈの音声信号を、５．１ｃｈ＋サークルサラウンドステレオ音声信号に変換し前記スイッチャの第２入力ポートに入力する音声変換部と、
１セグ放送用の音声信号を出力する場合、前記スイッチャの第１入力ポートに入力された５．１ｃｈの音声信号を第１出力ポートへ出力するよう制御する一方、前記音声変換部により変換されて第２入力ポートに入力された５．１ｃｈ＋サークルサラウンドステレオ音声信号の音声信号を第２出力ポートへ出力するよう制御する制御部と、
前記スイッチャの前記第２出力ポートから出力された５．１ｃｈ＋サークルサラウンドステレオ音声信号のうち、サークルサラウンドステレオ音声信号のチャネルを１セグ用のチャネルへ変更する音声ダウンミックス部と、
前記音声ダウンミックス部により１セグ用のチャネルに変更されたサークルサラウンドステレオ音声信号を、１セグ放送の送出用にエンコードして出力する１セグ音声エンコーダと
を具備することを特徴とする音声処理装置。
【請求項４】
前記制御部は、
ハイビジョン放送用の音声信号を出力する場合、前記スイッチャの第１入力ポートに入力された５．１ｃｈの音声信号を第１出力ポートへ出力するよう制御する一方、前記音声変換部により変換されて第２入力ポートに入力された５．１ｃｈ＋サークルサラウンドステレオ音声信号を第３出力ポートへ出力するよう制御し、
前記スイッチャの前記第３出力ポートから出力された５．１ｃｈ＋サークルサラウンドステレオ音声信号をそのまま通過させる音声ダウンミックススルー部と、
前記音声ダウンミックススルー部を通過した５．１ｃｈ＋サークルサラウンドステレオ音声信号の１〜６ｃｈをハイビジョン放送の送出用にエンコードして出力するハイビジョン音声エンコーダと
を備えることを特徴とする請求項３記載の音声処理装置。
【請求項５】
外部から供給される５．１ｃｈの音声信号から５．１ｃｈ＋サークルサラウンドステレオ音声信号を生成し、
生成した５．１ｃｈ＋サークルサラウンドステレオ音声信号のうち、サークルサラウンドステレオ音声信号のチャネルを１セグ用のチャネルへ変更し、
前記１セグ用のチャネルに変更されたサークルサラウンドステレオ音声信号を、１セグ放送の送出用にエンコードして出力する
ことを特徴とする音声処理方法。
【請求項６】
複数の入出力ポートを備え、外部からの制御により、内部配線をスイッチングして、入力ポートに入力された信号を、任意の出力ポートへ出力するスイッチャを備えた音声処理装置における音声処理方法において、
前記スイッチャの第１出力ポートから出力された５．１ｃｈの音声信号を、５．１ｃｈ＋サークルサラウンドステレオ音声信号に変換し前記スイッチャの第２入力ポートに入力し、
１セグ放送の音声信号を出力する場合、前記スイッチャの第１入力ポートに入力された５．１ｃｈの音声信号を第１出力ポートへ出力するよう制御する一方、前記第２入力ポートに入力された５．１ｃｈ＋サークルサラウンドステレオ音声信号の音声信号を第２出力ポートへ出力するよう制御し、
前記スイッチャの前記第２出力ポートから出力された５．１ｃｈ＋サークルサラウンドステレオ音声信号のうち、サークルサラウンドステレオ音声信号のチャネルを１セグ用のチャネルへ変更し、
１セグ出力用のチャネルに変更されたサークルサラウンドステレオ音声信号を、１セグ放送の送出用にエンコードして出力する
ことを特徴とする音声処理方法。
【発明の詳細な説明】
【技術分野】
【０００１】
本発明の実施形態は、音声処理装置および音声処理方法に関する。
【背景技術】
【０００２】
地上デジタル放送の普及に伴い、放送局で制作される番組のコンテンツはフルＨＤ画質の映像と５．１ｃｈの音声を持つものが主流なっている。
【０００３】
一方、携帯端末向けのワンセグ放送は、320×240（最大）ピクセルの映像とモノラル、ステレオ、デュアルモノといった音声の規格であり、地上デジタル放送に比べて帯域が制限される。
【０００４】
このことから、放送局が持っている番組のコンテンツをワンセグ放送で放送するためには、映像と音声をそれぞれ低レートに変換する必要がある。
【先行技術文献】
【特許文献】
【０００５】
【特許文献１】特開２００８−１９９３９８号公報
【発明の概要】
【発明が解決しようとする課題】
【０００６】
ところで、５．１ｃｈの音声をワンセグ放送用のモノラルやステレオの音声へ単に変換しただけでは音質が思いのほか低下するため、ワンセグ放送での音楽番組の放送は不向きである。
【０００７】
本発明が解決しようとする課題は、５．１ｃｈの音声素材を活用して高音質な番組をワンセグ放送で放送することができる音声処理装置および音声処理方法を提供することにある。
【課題を解決するための手段】
【０００８】
実施形態の放送システムは、音声変換部、音声ダウンミックス部、１セグ音声エンコーダを備える。前記音声変換部は外部から供給される５．１ｃｈの音声信号から５．１ｃｈ＋サークルサラウンドステレオ音声信号を生成する。前記音声ダウンミックス部は前記音声変換部により生成された５．１ｃｈ＋サークルサラウンドステレオ音声信号のうち、サークルサラウンドステレオ音声信号のチャネルを１セグ用のチャネルへ変更する。前記１セグ音声エンコーダは前記音声ダウンミックス部により１セグ用のチャネルに変更されたサークルサラウンドステレオ音声信号を、１セグ放送の送出用にエンコードして出力する。
【図面の簡単な説明】
【０００９】
【図１】実施形態の放送システムの構成を示す図である。
【図２】他の実施形態を示す図である。
【発明を実施するための形態】
【００１０】
以下、図面を参照して実施形態を詳細に説明する。図１は実施形態の放送システムの構成を示す図である。
【００１１】
放送局では、例えば音楽番組などを制作する際に音声Circle Surround技術（以下「音声ＣＳ技術」と称す）を用いた音声信号が制作される。音声ＣＳ技術は、５．１ｃｈのマルチチャンネル音声を２ｃｈ音声に特殊変換（ＣＳエンコード）することで、対応受信機ではステレオ音声ソースから５．１ｃｈ音場を作り出すことができる技術である。
【００１２】
テレビジョン装置やカーナビゲーションシステムなどの受信機は、この音声ＣＳ技術に対応しているものが既に多数ある。なおCircle Surroundは米国SRS社の技術である。この実施形態では、上記音声ＣＳ技術を用いて、放送用として蓄積しておく素材としての５．１ｃｈ音声信号はそのままに、放送するサービスの種類（１セグ放送かハイビジョン放送か）に応じたサラウンド再生用音声の使い分けを行うものである。
【００１３】
すなわち、図１に示すように、この実施形態の放送システムは、素材供給部１とマスター装置２とをネットワークを介して接続して構成されている。
【００１４】
素材供給部１は、例えば放送対象の番組のコンテンツが蓄積された素材サーバ１ａ、予め録画しておいた番組を再生出力するビデオ再生装置１ｂ（以下「ＶＴＲ１ｂ」と称す）、外部の制作会社からネットワークを介して番組のコンテンツを受信するネット受信部１ｃ、スタジオで番組を収録するスタジオ装置１ｄ等である。素材供給部１は、マスター装置２への放送用素材（番組コンテンツ）の供給元である。
【００１５】
マスター装置２は、マスタースイッチャ１０、音声変換部２０、音声フェーディイングアンプ２４，２５（以下「音声ＦＡ２４，２５」と称す）、音声ミキシング装置２９，３１（以下「音声ＭＩＸ２９，３１」と称す）、ハイビジョンエンコーダ３０（以下「ＨＤ ＥＮＣ３０」と称す）、１セグエンコーダ（以下「１セグ ＥＮＣ３２」と称す）、コントローラ２８などを有している。
【００１６】
マスタースイッチャ１０は、複数の入出力ポート１２ａ〜１２ｅ，１３ａ〜１３ｇを備え、コントローラ２８からの制御により、内部の縦横の信号列（配線）をスイッチングして、入力ポート１２ａ〜１２ｅに入力された信号を、任意の出力ポート１３ａ〜１３ｇへ出力する。
【００１７】
マスタースイッチャ１０の内部の縦横の信号列（配線）のうち、Ａ ＯＬは、オーディオオーバレイ用の信号列（配線）を示し、Ａ ＢＡＳＥは、ベースのオーディオ信号用の信号列（配線）を示し、Ａ ＬＩＮＥは、オーディオ信号の主経路の信号列（配線）を示す。なお図では内部配線の接続部分を「×」で示している。Ａ ＯＬの信号列にはテロップ表示の際にベース音声に重畳するためのテロップ用の音声信号が入力される。
【００１８】
コントローラ２８は、マスタースイッチャ１０の第１入力ポートである１２ａ，１２ｂに入力された５．１ｃｈ（１ｃｈ〜６ｃｈ）の音声信号を第１出力ポートであるＣＳ列１１の出力ポート１３ｇへ出力するようマスタースイッチャ１０を制御する。
【００１９】
またコントローラ２８は、１セグ放送用の音声信号を出力する場合、音声変換部２０により変換されて第２入力ポートである入力ポート１２ｃに入力された５．１ｃｈ＋サークルサラウンドステレオ音声信号（１ｃｈ〜８ｃｈ）を出力ポート１３ｅへ出力するよう制御する。これにより、５．１ｃｈ＋サークルサラウンドステレオ音声信号（１ｃｈ〜８ｃｈ）は音声ＦＡ２５を通じて入力ポート１２ｅに戻される。
【００２０】
さらにコントローラ２８は、入力ポート１２ｅに入力された５．１ｃｈ＋サークルサラウンドステレオ音声信号（１ｃｈ〜８ｃｈ）の音声信号を出力ポート１３ｆへ出力するよう制御する。
【００２１】
コントローラ２８は、ハイビジョン放送用の音声信号を出力する場合、音声変換部２０により変換されて第２入力ポートである入力ポート１２ｃに入力された５．１ｃｈ＋サークルサラウンドステレオ音声信号（１ｃｈ〜８ｃｈ）を出力ポート１３ｂへ出力するよう制御する。これにより、５．１ｃｈ＋サークルサラウンドステレオ音声信号（１ｃｈ〜８ｃｈ）は音声ＦＡ２４を通じて入力ポート１２ｄに戻される。
【００２２】
またコントローラ２８は、入力ポート１２ｄに入力された５．１ｃｈ＋サークルサラウンドステレオ音声信号（１ｃｈ〜８ｃｈ）の音声信号を出力ポート１３ｃへ出力するよう制御する。
【００２３】
音声変換部２０は、分配部２１、サークルサラウンドエンコーダ２２（以下「ＣＳ ＥＮＣ２２」と称す）、合成部２３などを有しており、マスター装置２の外部の素材供給部１から供給される５．１ｃｈの音声信号から、５．１ｃｈ＋サークルサラウンドステレオの８つのチャネルの音声信号を生成する。
【００２４】
分配部２１は、マスタースイッチャ１０の出力ポート１３ｇから出力された５．１ｃｈ音声信号を２つに分岐させる。つまり５．１ｃｈ音声信号を２分配する。
【００２５】
ＣＳ ＥＮＣ２２は、分配部２１により２分配されたうちの一方の５．１ｃｈ音声信号をＣＳステレオ音声信号に変換（エンコード）する。
【００２６】
合成部２３は、分配部２１により２分配されたうちの一方の５．１ｃｈ音声信号（１ｃｈ〜６ｃｈ）に、ＣＳ ＥＮＣ２２により変換されたＣＳステレオ音声信号（右チャネルと左チャネル）を合成する。
【００２７】
この音声変換部２０は、マスタースイッチャ１０の出力ポート１３ｇから出力された５．１ｃｈ（１ｃｈ〜６ｃｈ）の音声信号にＣＳステレオ音声信号（左右２チャネル）を加え、５．１ｃｈ＋ＣＳステレオ音声信号（１ｃｈ〜８ｃｈ）を生成し、マスタースイッチャ１０の入力ポート１２ｃに入力する。
【００２８】
すなわち、この音声変換部２０は、マスタースイッチャ１０の第１出力ポートである出力ポート１３ｇから出力された５．１ｃｈ（１ｃｈ〜６ｃｈ）の音声信号を、５．１ｃｈ＋ＣＳステレオ音声信号（１ｃｈ〜８ｃｈ）に変換し、マスタースイッチャ１０の第２入力ポートである入力ポート１２ｃに入力する音声変換部として機能する。
【００２９】
音声ＦＡ２４は、マスタースイッチャ１０の出力ポート１３ｂから出力されたＨＤ放送用の音声信号、つまりベースの音声信号に、テロップ表示の際のテロップと同時に出力する音声信号を重畳させ、その音声信号をマスタースイッチャ１０の入力ポート１２ｄに入力する。
【００３０】
音声ＦＡ２５は、マスタースイッチャ１０の出力ポート１３ｄから出力された１セグ放送用の音声信号、つまりベースの音声信号に、テロップ表示の際のテロップと同時に出力する音声信号を重畳させ、その音声信号をマスタースイッチャ１０の入力ポート１２ｅに入力する。
【００３１】
音声ＭＩＸ２９は、マスタースイッチャ１０の出力ポート１３ｃから出力された５．１ｃｈ＋ＣＳステレオ音声信号（１ｃｈ〜８ｃｈ）を変換無しで通過（スルー）させる音声ダウンミックススルー機能を有している。すなわちこの音声ＭＩＸ２９は、マスタースイッチャ１０の出力ポート１３ｃから出力された５．１ｃｈ＋サークルサラウンドステレオ音声信号をそのまま通過させる音声ダウンミックススルー部として機能する。
【００３２】
ＨＤ ＥＮＣ３０は、音声ＭＩＸ２９をスルーした５．１ｃｈ＋ＣＳステレオ音声信号（１ｃｈ〜８ｃｈ）のうち、１ｃｈ〜６ｃｈの音声信号を符号化処理（エンコード）し、７ＣＨ／８ｃｈのＣＳ音声信号については破棄する。
【００３３】
音声ＭＩＸ３１は、マスタースイッチャ１０の出力ポート１３ｃから出力された５．１ｃｈ＋ＣＳステレオ音声信号（１ｃｈ〜８ｃｈ）のうち、７ｃｈ／８ｃｈのＣＳステレオ音声を１ｃｈ／２ｃｈにマッピングするｃｈ変換を行う音声ダウンミックス機能を有している。
【００３４】
すなわち、音声ＭＩＸ３１は、マスタースイッチャ１０の出力ポート１３ｆから出力された５．１ｃｈ＋サークルサラウンドステレオ音声信号（１ｃｈ〜８ｃｈ）のうち、所定のチャネル（７ｃｈ，８ｃｈの位置）のＣＳステレオ音声信号を１セグ出力用のチャネル（１ｃｈ，２ｃｈの位置）へ変更する音声ダウンミックス部として機能する。
【００３５】
１セグ ＥＮＣ３２は、音声ＭＩＸ３１から入力された１ｃｈ／２ｃｈのＣＳ音声信号を、符号化処理（エンコード）する。すなわち、１セグ ＥＮＣ３２は、音声ＭＩＸ３１により１セグ出力用のチャネルに変更されたＣＳステレオ音声信号（１ｃｈ，２ｃｈ）を、１セグ放送用にエンコードして出力する。
【００３６】
続いて、この実施形態の放送システムの動作を説明する。  
この放送システムでは、マスタースイッチャ１０に、５．１ｃｈ音声信号を後段へ出力するための専用のＣＳ列１１を追加し、ＣＳ列１１から出力された信号系統に設けた音声変換部２０では、元々の５．１ｃｈ音声信号（１ｃｈ〜６ｃｈ）に、ＣＳ変換した音声を７ＣＨ／８ｃｈにマッピングする処理を行い、マッピング処理後の信号を５．１ｃｈ＋ＣＳステレオ音声の素材列としてマスタースイッチャ１０へリエントリ素材として入力する。
【００３７】
マスタースイッチャ１０では、このリエントリされた素材をＳＶ１（ＨＤ）サービス、および１セグサービスの送出素材として選択使用する。
【００３８】
マスタースイッチャ１０にリエントリされた素材を例えばＨＤサービスに使用する場合、音声ＭＩＸ２９では、変換無し（スルー）で処理し、後段のＨＤ ＥＮＣ３０により５．１ｃｈ符号化処理を行う。
【００３９】
通常、ＨＤ ＥＮＣ３０では、５．１ｃｈ音声信号＋ＣＳステレオ音声信号（１ｃｈ〜８ｃｈ）のうち、１ｃｈ〜６ｃｈの５．１ｃｈ音声信号を符号化処理し、他の７ｃｈ／８ｃｈのＣＳ音声信号は破棄するため、従来どおりの制御方法で５．１ｃｈ音声信号の送出を行うことができる。
【００４０】
一方、マスタースイッチャ１０にリエントリされた素材を例えば１セグ放送のサービスに使用する場合は、音声ＭＩＸ３１が、７ｃｈ／８ｃｈのＣＳステレオ音声を１ＣＨ／２ｃｈにマッピングする変換を行うことにより、１セグ ＥＮＣ３２では、入力されたＣＳ音声信号を、通常の１ｃｈ／２ｃｈステレオ音声の符号化処理と同様に扱うことができる。
【００４１】
このようにマスタースイッチャ１０から一度出力した５．１ｃｈ音声から５．１ｃｈ＋ＣＳステレオ音声の素材を生成しマスタースイッチャ１０にリエントリする方法を用いることで、５．１ｃｈ音声信号という共通の放送素材に対して、元々の５．１ｃｈ音声で送出したいＨＤサービスでは、５．１ｃｈ音声として送出し、ＣＳ音声で送出したい１セグサービスではＣＳステレオ音声として送出するといった使い分けを行うことができる。
【００４２】
このようにこの実施形態によれば、マスタースイッチャ１０に、５．１ｃｈ音声信号を後段へ出力するための専用のＣＳ列１１を新たに設けると共に、マスタースイッチャ１０から一度出力した５．１ｃｈ音声信号にＣＳ音声の２ｃｈを加えた８ｃｈの信号をマスタースイッチャ１０に再入力し、ＨＤ用の音声ＭＩＸ２９と１セグ用の音声ＭＩＸ３１へ出力することにより、マスター装置２側の音声ＭＩＸ２９，３１などの改修を行わずに、用途に応じたＣＳ出力を得ることができる。
【００４３】
この結果、５．１ｃｈの音声素材を活用して高音質な番組をワンセグ放送で放送することができる。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４５】
例えば図２に示すように、音声ＦＡ２４，２５などを削除し、マスタースイッチャ１０のポート数を削減してもよい。マスタースイッチャ１０を１セグ放送の音声信号を出力するサービスに利用する場合、コントローラ２８は、音声変換部２０により変換されて第２入力ポートである入力ポート１２ｃに入力された５．１ｃｈ＋サークルサラウンドステレオ音声信号（１ｃｈ〜８ｃｈ）を第２出力ポートである出力ポート１３ｆへ出力するよう制御する。
【００４６】
またマスタースイッチャ１０をハイビジョン放送の音声信号を出力するサービスに利用する場合、コントローラ２８は、マスタースイッチャ１０の入力ポート１２ａに入力された５．１ｃｈの音声信号を出力ポート１３ｇへ出力するよう制御する一方、音声変換部２０により変換されて入力ポート１２ｃに入力された５．１ｃｈ＋サークルサラウンドステレオ音声信号を第３出力ポートである出力ポート１３ｃへ出力するよう制御する。
【００４７】
また上記実施形態に示した各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００４８】
１…素材供給部、１ａ…素材サーバ、１ｂ…ビデオ再生装置、１ｃ…ネット受信部、１ｄ…スタジオ装置、２…マスター装置、１０…マスタースイッチャ、１１…ＣＳ列、１２ａ〜１２ｅ…入力ポート、１３ａ〜１３ｇ…出力ポート、２０…音声変換部、２１…分配部、２２…サークルサラウンドエンコーダ（ＣＳ  ＥＮＣ）、２３…合成部、２４，２５…音声フェーディイングアンプ（音声ＦＡ）、２８…コントローラ、２９，３１…音声ミキシング装置（音声ＭＩＸ）、３０…ハイビジョンエンコーダ（ＨＤ ＥＮＣ）、３２…１セグエンコーダ（１セグ ＥＮＣ）。
【図１】
2012037844.tif 000003
【図２】
2012037844.tif 000004